Podtech/llm-jp-corpus-v4-ja_patent huggingface dataset:
(57)【要約】【課題】義歯ブラシについて、コストや消毒液の残存成分が問題となることなく、安全に再利用できる手段を提供する。【解決手段】耐熱性熱可塑性樹脂による柄（１）の上面側に上面耐熱性ブリッスル（２１）を植毛し下面側に下面耐熱性ブリッスル（２２）を植毛し、耐熱性の温度が１３５℃以上であり、耐熱性熱可塑性樹脂として、ポリプロピレン樹脂を用い、耐熱性ブリッスルとして、ポリアミド６１０及びポニフェルレンサルファイドを用いる、義歯ブラシを、オートクレーブによって１２１℃から１３５℃の範囲で滅菌処理する。【選択図】図１
2017035249.tif 000002
【特許請求の範囲】
【請求項１】
耐熱性熱可塑性樹脂による柄に、耐熱性ブリッスルを植毛し、耐熱性の温度が１３５℃以上であることを特徴とする、義歯ブラシ。
【請求項２】
耐熱性熱可塑性樹脂として、ポリプロピレン樹脂を用い、
耐熱性ブリッスルとして、ポリアミド６１０及びポニフェルレンサルファイドを用いることを特徴とする、請求項１に記載の義歯ブラシ。
【請求項３】
耐熱性熱可塑性樹脂による柄に、耐熱性ブリッスルを植毛し、耐熱性の温度が１３５℃以上である、義歯ブラシを、
オートクレーブによって滅菌処理することを特徴とする、義歯ブラシの滅菌処理方法。
【発明の詳細な説明】
【技術分野】
【０００１】
本発明は、義歯ブラシ及び義歯ブラシの滅菌方法に関する。
【背景技術】
【０００２】
一般の義歯ブラシは、耐熱温度が８０℃程度であり、ポリプロピレンの柄にナイロンによるブラシを植毛したものが広く用いられている。
該義歯ブラシを歯科医院等で使用する際には、衛生面を考慮すると使い捨てが望ましい。
しかしながら、通常はコストを考慮するため、使用済の義歯ブラシは、薬液によって消毒処理することで、再利用されている。
【０００３】
特許文献１には、ブラシ部が、バインダーを介してブリッスルを静電植毛することによって台座に形成された口腔衛生用具において、少なくともブラシ部の一部に植毛領域と非植毛領域とを交互に、一つの植毛領域の中心もしくは中心線から、隣接する植毛領域の中心もしくは中心線までの最短ピッチ間隔が１〜２０ｍｍとなるように配置した口腔衛生用具が記載されている。
【発明の概要】
【発明が解決しようとする課題】
【０００４】
一般的な義歯ブラシや特許文献１に記載の口腔衛生用具を使用したものを、消毒液によって滅菌処理した場合には、消毒液によって影響を受ける場合があり、より完全な処理が望まれていた。
【課題を解決するための手段】
【０００５】
本発明の課題を解決するための手段は、下記のとおりである。
【０００６】
第１に、
耐熱性熱可塑性樹脂による柄に、耐熱性ブリッスルを植毛し、耐熱性の温度が１３５℃以上であることを特徴とする、義歯ブラシ。
第２に、
耐熱性熱可塑性樹脂として、ポリプロピレン樹脂を用い、
耐熱性ブリッスルとして、ポリアミド６１０及びポニフェルレンサルファイドを用いることを特徴とする、請求項１に記載の義歯ブラシ。
第３に、
耐熱性熱可塑性樹脂による柄に、耐熱性ブリッスルを植毛し、耐熱性の温度が１３５℃以上である、義歯ブラシを、
オートクレーブによって滅菌処理することを特徴とする、義歯ブラシの滅菌方法。
【発明の効果】
【０００７】
本発明によれば以下の効果を奏することができる。
【０００８】
本発明に係る義歯ブラシは、耐熱温度が１３５℃以上あり、オートクレーブによって滅菌処理することができるので、残存成分が問題となることなく、安全に再利用できる。
【図面の簡単な説明】
【０００９】
【図１】本発明の義歯ブラシの斜視図である。
【図２】図１に示す義歯ブラシの説明図であり、（Ａ）は平面図、（Ｂ）は側面図である。
【発明を実施するための形態】
【００１０】
以下、本発明を実施するための形態を、図面を参照しつつ具体的に説明する。
ここで、添付図面において同一の部材には同一符号を付しており、また重複した説明は省略されている。
なお、ここでの説明は本発明が実施される一形態であることから、本発明は該当形態に限定されるものではない。
【００１１】
図１、図２に示す義歯ブラシは、耐熱温度が１４０℃であるポリプロピレンによる自然色の柄１の先端部の上面側に、耐熱温度が１４０℃以上であるポリアミド６１０による同一高さの上面耐熱性ブリッスル２１を植毛すると共に、反対面側である下面側に、耐熱温度が２２０℃であるポニフェルレンサルファイドによる中央部分が高く周囲が低くなる高さの下面耐熱性ブリッスル２２を植毛したものである。
【００１２】
ここで、ポリプロピレンとしては株式会社フライムポリマーのポリプロピレン樹脂を、ポリアミド６１０としては東レ・モノフィラメント株式会社のナイロン６１０モノフィラメントを、ポニフェルレンサルファイドとしては東レ・モノフィラメント株式会社の７３０Ｔを用いた。
これらの物質は、いずれも安全性に問題がないことが確認されたものである。
【００１３】
下面耐熱性ブリッスル２２は、上面耐熱性ブリッスル２１より硬くなるように形成されており、中央部分が高く周囲が低くなる高さであることから、くぼんだ部分等を磨くのに適したものである。
【００１４】
前記柄１の持ち手部分の上面側には文字が印刷されている。
ここで、文字を、一定の温度変化及び回数で色が変更するようなインクを用いて印刷することで、後述するオートクレーブによる滅菌処理を繰り返して行う際に、交換時期を知らせるサインとして機能するように構成することもできる。
【００１５】
前記義歯ブラシを、使用後、オートクレーブに入れて、１２１℃で２０分間、１３２℃で５分間、１３５℃で３分を連続滅菌処理した。
その結果、十分に滅菌処理されたことが確認できた。
なお、消毒液を用いていないので、消毒液による残存成分も問題となることがない。
【００１６】
前記義歯ブラシについて、耐熱試験を行った結果、１６０℃までの範囲であれば、熱変形等の影響がないことが確認された。
【符号の説明】
【００１７】
１  柄
２１  上面耐熱性ブリッスル
２２  下面耐熱性ブリッスル
【先行技術文献】
【特許文献】
【００１８】
【特許文献１】特開２００１−２８６３４２号公報
【図１】
2017035249.tif 000003
【図２】
2017035249.tif 000004
(57)【要約】【課題】サプリメントが入っているジッパー付の袋は、袋口のはしを切ってジッパーを開けようとすると袋口のビニールがくっついて、なかなかジッパーを開けることが出来ず大変です。特にお年寄りは指の感覚が鈍くなり小刻みにふるえる手でジッパーを開けるのは至難のわざです。特に薄手のビニール袋は開けずらいものです。【解決手段】指の感覚が伝わり易くなるように袋口の裏面の中央部を２ミリ位ずらしてミシン目を入れます。ミシン目を切ると上下２ミリ位の段差ができ指にひっかかり開け易くなります。左右どちらからでも切ることが出来るので左利きの人にも対応できる。【選択図】    図１
2017047907.tif 000002
【特許請求の範囲】
【請求項１】
表裏面の中央部において、２〜４ミリずらしてミシン目を入れたジッパー付ビニール袋
【発明の詳細な説明】
【技術分野】
【０００１】
本発明は、サプリメント等を入れるジッパー付の袋に関する。
【背景技術】
【０００２】
サプリメントが入っているジッパー付の袋は、袋口のはしを切ってジッパーを開けようとすると袋口のビニールがくっついて、なかなかジッパーを開けることが出来ず大変です。
特にお年寄りは指の感覚が鈍くなり小刻みにふるえる手でジッパーを開けるのは至難のわざです。特に薄手のビニール袋は開けずらいものです。
【先行技術文献】
【特許文献】
【０００３】
【特許文献１】実用新案登録第３１９６１６９号
【発明の概要】
【発明が解決しようとする課題】
【０００４】
サプリメントが入っているジッパー付の袋は、袋口のはしを切ってジッパーを開けようとすると袋口のビニールがくっついて、なかなかジッパーを開けることが出来ず大変です。特にお年寄りは指の感覚が鈍くなり小刻みにふるえる手でジッパーを開けるのは至難のわざです。特に薄手のビニール袋は開けずらいものです。
【課題を解決するための手段】
【０００５】
上記の課題を解決するための本発明は、
表裏面の中央部において、２〜４ミリずらしてミシン目を入れたジッパー付ビニール袋です。
【発明の効果】
【０００６】
指の感覚が伝わり易くなるように袋口の裏面を２ミリ位ずらしてミシン目を入れます。ミシン目を切ると上下２ミリ位の段差ができ指にひっかかり開け易くなります。左右どちらからでも切ることが出来るので左利きの人にも対応できる。
【図面の簡単な説明】
【０００７】
【図１】本発明の実施例を示した図
【図２】本発明の他の実施例を示した図
【発明を実施するための形態】
【実施例】
【０００８】
図１に本発明の実施例であるジッパー付ビニール袋１の表裏面を示します。中央部２で折り曲げ、３の部分、４の部分を接着させて袋状にします。５はミシン目、６はジッパーです。ミシン目５は、袋の両端部（はし）では、同一の位置ですが、内部（内側）ではずれています。図１におきましては、表裏のミシン目は２ミリ差があるとようにしました。この差が2ミリ未満の場合は、指にひっかかりにくく、開け易くありません。また、4ミリを超えると、かえって開けにくくなります。ミシン目のズレは、端部から１ｃｍ以上入った位置での値としました。課題を解決するための手段における中央部は、端部より１ｃｍ以上入った位置のことを示すものとします。
【０００９】
図２に本発明の他の実施例であるジッパー付ビニール袋１の表裏面を示します。中央部２で折り曲げ、３の部分、４の部分を接着させて袋状にする点は同じです。５はミシン目、６はジッパーです。ミシン目５は、袋の両端部（はし）では、同一の位置ですが、内部（内側）ではずれています。この場合は、もっともずれている場合の差を４ミリにしています。
この場合においても、ミシン目のズレは、端部から１ｃｍ以上入った位置での値としました。課題を解決するための手段における中央部は、端部より１ｃｍ以上入った位置のことを示すものとします。
【産業上の利用可能性】
【００１０】
本発明は、高齢者等に便利に使用できるため、袋の用途、市場を広げる効果があります。
【符号の説明】
【００１１】
１  本発明のジッパー付ビニール袋
２  折り目
３  接着部（側面）
４  接着部（側面）
５  ミシン目
６  ジッパー
【図１】
2017047907.tif 000003
【図２】
2017047907.tif 000004
(57)【要約】【課題】従来の肩関節術後の肩装具は、固定力が乏しいため、肩関節に衝撃が加わり、就寝時には装具が上方へずれ上がり、腕と装具の重みにより肩関節が外旋・水平外転が加わることにより痛みの原因となり、再断裂の懸念があった。【解決手段】体幹バンドを体幹に固定し、マジックバンドと外転パットを接続し、前記外転パットとＬ字スリングを接続し、前記Ｌ字スリングに接続されている肘パットとリストバンドに肘懸垂バンド（ローテーション防止バンド）と前腕懸垂バンドで接続し、肘パットで前腕・上腕を支え、前記肘懸垂バンドと前記前腕懸垂バンドを肩パットにも接続し、前記肩パットを肩に当て前記肩パットに後方バンドを接続して前記後方バンドを前記Ｌ字スリングに接続したことを特徴とする肩装具である。【選択図】図１
2017047149.tif 000002
【特許請求の範囲】
【請求項１】
体幹バンドを体幹に固定し、マジックバンドと外転パットを接続し、前記外転パットとＬ字スリングを接続し、前記Ｌ字スリングに接続されている肘パットとリストバンドに肘懸垂バンド（ローテーション防止バンド）と前腕懸垂バンドで接続し、肘パットで前腕・上腕を支え、前記肘懸垂バンドと前記前腕懸垂バンドを肩パットにも接続し、前記肩パットを肩に当て前記肩パットに後方バンドを接続して前記後方バンドを前記Ｌ字スリングに接続したことを特徴とする肩装具。
【発明の詳細な説明】
【技術分野】
【０００１】  本発明は、肩関節術後の安定肢位を図った肩装具に関する。
【背景技術】
【０００２】  従来の肩関節術後の肩装具には、肩関節を安定肢位で固定出来る装具は無く、特に仰臥位時に、外旋・水平外転を伴い肩関節に過度の負荷を与えていた。
【発明の概要】
【発明が解決しようとする課題】
【０００３】  従来の肩関節術後の肩装具は、固定力が乏しいため、肩関節に衝撃が加わり、就寝時には装具が上方へずれ上がり、腕と装具の重みにより肩関節が外旋・水平外転が加わることにより痛みの原因となり、再断裂の懸念があった。
【課題を解決するための手段】
【０００４】  体幹バンドを体幹に固定し、マジックバンドと外転パットを接続し、前記外転パットとＬ字スリングを接続し、前記Ｌ字スリングに接続されている肘パットとリストバンドに肘懸垂バンド（ローテーション防止バンド）と前腕懸垂バンドで接続し、肘パットで前腕・上腕を支え、前記肘懸垂バンドと前記前腕懸垂バンドを肩パットにも接続し、前記肩パットを肩に当て前記肩パットに後方バンドを接続して前記後方バンドを前記Ｌ字スリングに接続したことを特徴とする肩装具である。
【発明の効果】
【０００５】  本発明は、このような従来の構成が有していた問題を解決しようとするものであり、肩関節を安静な位置に効率良く保持し、患部に負荷をかけず術後の早期回復を実現することを目的とするものである。【０００６】  そして、本発明は上記目的を達するために体幹バンドと前腕を固定するＬ字スリングを用い、軽度屈曲位で肘関節を包み込み、さらにローテーション防止バンドを用い肩関節の外旋・水平外転を抑制する。【０００７】  上述したように本発明の肩装具は、仰臥位時、重力による肩関節外旋、水平外転を防止することが可能となり、術後、患部の早期回復と継続的に訴える肩の痛みを抑えることが期待出来る。
【図面の簡単な説明】
【０００８】
【図１】代表図
【図２】側面から見た装着図
【図３】後方から見た装着図
【図４】体幹バンドと外転パッドを外した装着図
【図５】仰臥位時の装着図
【発明を実施するための形態】
【０００９】  以下、本発明の実施の形態を図１〜図５に基づいて説明する。
【００１０】  図１においては、▲１▼は体幹に固定する体幹バンドで▲２▼のプラスティックバックルで周径を調整し固定する。▲３▼はマジックバンドのオスと▲４▼起毛で包まれた外転パッドを装着する。▲５▼の肩パッドを装着し、前方に伸びる▲６▼前方懸垂バンドと▲１１▼のリストバンドを固定する。▲５▼肩パッドから前方に伸びる▲７▼肘懸垂バンド（ローテーション防止バンド）を▲１０▼肘パッドに取り付ける。肩パッドから後方に伸びる▲８▼後方バンドを▲９▼Ｌ字スリング後方に取り付ける。
【００１１】  図４に示すように、術後患部の安静が図れた時点で、体幹バンドと外転パッドを取り外し使用できる状態を示した図である。
【００１２】  本発明の重要点である▲７▼肘懸垂バンド（ローテーション防止バンド）を体幹中心方向へ引きつける事と、体幹バンドに取り付けた外転パッドの装着位置により、本発明の目的である肩関節の外旋と水平外転を抑制する事が可能となり術後の安定肢位確保と早期回復を期待出来る。
【符号の説明】  １    体幹バンド
２    プラスティックバックル
３    マジックバンド（オス）
４    外転パット
５    肩パット
６    前方懸垂バンド
７    肘懸垂バンド（ローテーション防止バンド）
８    後方バンド
９    Ｌ字スリング
１０  肘パット
１１  リストバンド
【図１】
2017047149.tif 000003
【図２】
2017047149.tif 000004
【図３】
2017047149.tif 000005
【図４】
2017047149.tif 000006
【図５】
2017047149.tif 000007
(57)【要約】      （修正有）【課題】肩に掛けたアームと、ゴムの弾力性の力を利用する運搬補助具を提供する。【解決手段】背当て部に設けた、湾曲状に形成されたアーム棒を左右に設け，左右二本のアーム棒前面下部にゴム紐をぶら下げ設けるゴム紐フック係止フック部を設けた。【選択図】図３
2017047150.tif 000002
【特許請求の範囲】
【請求項１】
2017047150.tif 000006
二本のアーム棒前面下部にゴム紐をぶら下げ設けるゴム紐フック係止フック部を設けたことを特徴とする運搬補助具。
【発明の詳細な説明】
【技術分野】
【０００１】本発明は、肩に掛けたアームとゴム紐の弾力性の力を利用して物を持ち上げる力を少なくする運搬に関するものである。
【背景技術】
【０００２】従来、両手に簡単に装着できる運搬補助具はなかった。
【発明の概要】
【発明が解決しようとする課題】
【０００３】そのために、次のような問題点があった。
（イ）、物を手を使い持ち上げ移動させる作業は腰、腕に負担がかかり苦痛であった。又簡単に装着できる補助具はなかった。
本発明は、これらの問題点を解決するためになされたものである。
【課題を解決するための手段】
【０００４】
2017047150.tif 000003
二本のアーム棒前面下部にゴム紐をぶら下げ設けるゴム紐フック係止フック部を設けたことを特徴とする運搬補助具。
【発明の効果】
【０００５】両肩に掛け装着したアームのフック係止部に装着した輪状になったゴムひもを手のひらで保持一体として物を持ち上げる。ゴム紐の弾力伸縮性の力を利用でき楽に物の持ち上げ移動ができる。
【図面の簡単な説明】
【０００６】
【図１】本発明の斜視図
【図２】本発明に使用するゴム材の斜視図
【図３】本発明を肩に掛けゴム材を手と指で一体とし物を持ち上げている例を示す側面図
【発明を実施するための形態】
【０００７】
2017047150.tif 000004
（７）を装着した背当部（３）を設け、下部にゴム紐（５）のフック（６）を係止するフック係止部（４）を左右に設ける。
本発明は以上のような構成である。
これを使用するときは、ゴム紐のフックを係止したアーム棒を両肩に掛けゴム紐を手のひらで掴み荷物の方に腕を伸ばし物を掴み引き寄せ持ち上げる。
【符号の説明】
【０００８】１  アーム棒
2017047150.tif 000005
３  背当部
４  フック係止部
５  ゴム紐
６  フック
７  クッション材
【図１】
2017047150.tif 000007
【図２】
2017047150.tif 000008
【図３】
2017047150.tif 000009
(57)【要約】【課題】  引出し棚の意匠を制限することなく、固定を外す余分な操作をすることなく、震度３を超えても飛び出さない棚の飛び出しを防止する装置の提供を課題とする。【解決手段】  内レール（１）に回転自在に取り付けたコマ（２）が、内レール（１）が閉まった状態で落ち込む穴（４）をレール（３）に設け、レール（３）に回転自在に押え金具（５）を取り付け、押え金具（５）の先端をコマ（２）に当接させ、押え金具（５）にバネ（６）を取り付ける。【選択図】図１
2017047154.tif 000002
【特許請求の範囲】
【請求項１】
内レール（１）に回転自在に取り付けたコマ（２）が、内レール（１）が閉まった状態で落ち込む穴（４）をレール（３）に設け、レール（３）に回転自在に押え金具（５）を取り付け、押え金具（５）の先端をコマ（２）に当接させた引出し棚の飛出し防止装置付きレール。
【請求項２】
押え金具（５）にバネ（６）を取り付けた請求項１の引出し棚の飛出し防止装置付きレール。
【発明の詳細な説明】
【技術分野】
【０００１】  本発明は地震時の引出し棚の飛出しを防止する装置が付いたレールに関するものである。
【背景技術】
【０００２】  従来、地震時の引出し棚の飛び出しを防止する装置としては、固定フックなどで固定されていて取っ手のレバーによって引出し棚の固定装置を解除し引き出すものや、レールの段差にコマを落し込み乗り越える抵抗で飛び出しにくくしたものがあった。
【発明の概要】
【発明が解決しようとする課題】
【０００３】  しかし、これは次のような欠点があった。
取っ手のレバーで固定を解除し引き出す固定装置では、意匠が重要な製品において意匠の自由な選択ができないし、レバーを引くなどの固定を外す動作が必要である。
レールの段差にコマを落し込む形式では引出し棚の意匠の制約は無いが、約震度３程度までしか飛出しを防ぐ効果がなかった。
本発明は、引出し棚の意匠を制限することなく、固定を外す余分な操作をすることなく、震度３を超えても飛び出さない棚の飛び出しを防止する装置の提供を課題とする。
【課題を解決する手段】
【０００４】  内レール（１）に回転自在に取り付けたコマ（２）が、内レール（１）が閉まった状態で落ち込む穴（４）をレール（３）に設け、レール（３）に回転自在に押え金具（５）を取り付け、押え金具（５）の先端をコマ（２）に当接させ、押え金具（５）にバネ（６）を取り付ける。
本発明は、以上の構成によりなる引き出し棚の飛出し防止装置である。
【発明の効果】
【０００５】  内レールに取り付けられたコマが外レールの穴に嵌り込み、押え金具がバネでコマを押え付ける相乗効果により、地震時の揺れで引出しが飛び出そうとする力を少なくとも震度３以上の応力でも押えることができる。引き出しを出す時は瞬間的な引っ張る力で押え金具が跳ね上がり固定から解除されて前に引き出すことができる。レール自体に機構が収まっているので、引出し棚に余分な固定の為のレバー等配置することがなく意匠の制限を受けない。
【図面の簡単な説明】
【０００６】
【図１】  本発明の斜視図である。
【図２】  本発明の側面図である。
【図３】  本発明を引き出し棚に装着した斜視図である。
【発明を実施するための形態】
【０００７】  以下、本発明を実施するための形熊を説明する。
内レール（１）の後方に回転自在にコマ（２）を取り付ける。コ型断面のレール（３）の先端に回転自在にコマ（７）を取り付け、穴（４）が端に開けられた補助レール（８）をレール（３）取り付け、穴（４）の後方に止め板（９）を設ける。押え金具（５）にバネ（６）の取付け穴（９）を設け回転自在にレール（３）に取り付けて、レール（３）に長穴（１１）を設け、内レール（１）に取り付けられたコマ（２）に当接するようにする。調整穴（１２）を複数設けたバネ取付け金具（１２）をレール（３）に設け、取付け穴（１０）と調整穴（１２）にバネ（６）を取り付ける。バネは、ねじりコイルバネや圧縮コイルバネ等を利用すると良い。
本発明は、以上の構造である。
これを利用し引出し（１４）に取り付ける場合は、引出し（１４）の左右に対称形の内レール（１）を取り付け、引出し（１４）を設置しようとする棚やキャビネットの内側に左右対称形のレール（３）を取り付け、引出し（１４）を差し込む。飛出し防止装置の押え金具などの機構は左右のいずれかに設置すれば良い。
引出し（１４）が収納された状態では、止め板（９）にコマ（２）が当接し、レール（３）の穴（４）にコマ（２）が嵌り込み、押え金具（５）がコマ（２）を押え込んだ状態になる。引出し（１４）を引き出す場合は、瞬間的に引出しを引き出すと押え金具が跳ね上がり引出し（１４）は固定から解除される。この時、バネ取付け金具（１３）の調整穴（１２）でバネ（６）の固定位置を変えてバネ（６）のコマ（２）を押え付ける力を適切に調整すると良い。
【０００９】
【符号の説明】
【００１０】１    内レール
２    コマ
３    レール
４    穴
５    押え金具
６    バネ
７    コマ
８    補助レール
９    止め板
１０  取付け穴
１１  長穴
１２  調整穴
１３  バネ取付け金具
１４  引出し
【図１】
2017047154.tif 000003
【図２】
2017047154.tif 000004
【図３】
2017047154.tif 000005
(57)【要約】      （修正有）【課題】後期高齢者等に、利用時の背面中腰での不安定な離着座を支援して快適、安全な座椅子を提供する。【解決手段】座板３に回動軸４と複合肘受け５を設け、基台１の後部と座板前部をスプリング６で繋いだ構成とすることにより、スプリング６の延伸力と体重及び複合肘受け５との相乗効果で座板３の上下動を支援する構成とする。【選択図】図１
2017047152.tif 000002
【特許請求の範囲】
座板３に回動軸４及び複合肘受け５を設け、基台１の後部と座板３の前部とをスプリング６で連結した事を特徴とする機構。
【発明の詳細な説明】
【技術分野】    架具
【背景技術】    後期高齢者等の支援技術    株）  アマゾン、ニッセン
【発明の概要】
【発明が解決しようとする課題】    高齢者にとって座椅子は最適な椅子ではあるが、既販の座椅子は座位での快適さで提供されているが、利用実態は着座と離座時の中腰の不安定さが多きな負担となっており、これ等の動作を支援する。
【課題を解決するための手段】    座板３に回動軸４及び複合肘受け５を備え、スプリング６との相乗効果で座椅子を安全、快適に行なえる事を特徴とする機構。
【発明の効果】    座椅子の使用に際し、背面、中腰による肉体と精神的な負担を解消し安全、快適に離着座が出来る。
【図面の簡単な説明】            図            １
【発明を実施するための形態】
【実施例】    既販の座椅子の肘受けは。約４０ｃｍ、座受けは約２０ｃｍで着座の状態での快適さを目的に提供されている。高齢者にとっては利用時の背面中腰での離着座は精神と体力面で多くの負担である。
本発明は、座板に回動軸を設けスプリングとの連動で座板の上下動を支援し、複合肘受け等を特徴とする方式を導入した。
本発明を図１で説明する。１は基台、２は摺動支台、３は座板で４の回動軸と５の複合肘受けで、６のスプリングで構成し、複合肘受け５は既販品の肘受けに重複して設けた補助板で蝶番を介して倒立する。摺動支台２は利用者の体重差を補う。
使用時に座椅子はスプリング６の張力により前傾しており、着座の際は複合肘受け５の重複部の上板を蝶番を介して倒立させる。次いで背面に位置すると複合肘受け５は体側面の腰高位置にあり、両手で体を支えながら腰を徐々に下ろせば、座板３の後部は４の回動軸を介して高位置にあり、スプリング６の延伸力等の総合力で緩やかに着座が出来る。因みに複合肘受け５の補助板は元に戻す。
離座時には、複合肘受け５の補助板を倒立させ両手で前方に押し出すと共に腰を浮かすとスプリング６の延引力との相乗効果で容易に離座が出来る。
【符号の説明】            １、基台                  ２、摺動支台
３．座板                  ４、回動軸
４、複合肘受け            ６．スプリング
【図１】
2017047152.tif 000003
【手続補正書】
【提出日】平成27年10月16日(2015.10.16)
【手続補正２】
【補正対象書類名】明細書
【補正対象項目名】全文
【補正方法】変更
【補正の内容】
【発明の詳細な説明】
【技術分野】
【０００１】  本発明は、高齢者の座椅子使用時の補助機能に関する。
【技術背景】
【０００２】  後期高齢者等に対する支援技術。    株）アマゾン、  ニッセン、
【発明の概要】
【発明が解決しようとする課題】
【０００３】  高齢者にとって座椅子は最適な椅子ではあるが、既販の座椅子は座位での快適さで提供されているが、利用実態は着座と離座時の中腰の不安定さが多きな負担となっており、これ等の動作を支援する。
【課題を解決するための手段】
【０００４】    座板３に回動軸４及び複合肘受け５を備え、スプリング６との相乗効果で座椅子を安全、快適に行なえる事を特徴とする機構。
【発明の効果】
【０００５】  座椅子の使用に際し、背面、中腰による肉体と精神的な負担を解消し安全、快適に離着座が出来る。
【図面の簡単な説明】
【０００６】
【図１】  本発明の概要を示す側面図である。
【発明を実施するための形態】
【０００７】  座板、回動軸及び複合肘受けを備え、スプリングの延伸力との連動で座板の上下動と更に複合肘受けで離着座時の体力を支援し、安全、快適な操作感の座椅子を提供する。
【実施例】
【０００８】  既販の座椅子の肘受けは、約４０ｃｍ、座板は約２０ｃｍで着座の状態での快適さで提供されているが、高齢者にとっては利用時の背面中腰での離着座は体力と精神面で多くの負担感がある。
本発明を図１で説明する。１は基台、２は摺動支台、３は座板３で４の回動軸と５の複合肘受けで、６のスプリングで構成し、複合肘受け５は機販品の肘受けに重複して設けた補助板で蝶番を介して倒立する。摺動支台２は利用者の体重差を補う。
本発明の使用時は、座板３はスプリング６の張力により前傾しており、着座の際は複合肘受け５の重複部の上板を蝶番を介して倒立させる。次いで背面に位置すると複合肘受け５は体側面の腰高位置にあり両手で体を支えながら腰を徐々に下ろせば、座板３の後部は４の回動軸を介して高位置にあり、スプリング６の延伸力等の総合力で緩やかに着座が出来る。因みに複合肘受け５の補助板は元に戻す。
離座時には、複合肘受け５の補助板を倒立させ両手で前方に押し出すと共に腰を浮かすとスプリング６の延伸力との相乗効果で容易に離座が出来る。
【符号の説明】
【０００９】１、  基台              ２、  摺動支台
３、  座板              ４、  回動軸
５、  複合肘受け        ６、  スプリング
(57)【要約】【課題】  近年発生の火災は、高層ビル化・諸施設の多様化等に伴い消火放水方法も多岐にわたり、敏速且つ適切な消火放水が要求される。【解決手段】  従来の消防車での加圧放水に加えて高圧搾エヤーを併用して放水力を強力化すると共に高圧搾エヤーを放射ノズルに断続・連続供給し、捩じりを加えて水弾状断続放射・連続強力放水を可能にした。【選択図】図１
2017047232.tif 000002
【特許請求の範囲】
【請求項１】
消防車による一般的な加圧放水に加えて高圧搾エヤーを併用して、水弾断続放射・連続放水を強力化して破壊力強化・高所放水を可能にした事を特徴とする消防車。
【請求項２】
一般的な放射ノズルに高圧搾エヤー供給を断続・連続切替え機構を設けると共に放射ノズル先端部の内部に、放射水捩じり用フィンスクリューを設けたことを特徴とする請求項１記載の消防車。
【発明の詳細な説明】
【技術分野】
【０００１】  本発明は、消防車等の放水方法に関する。
【背景技術】
【０００２】  従来の火災消火用消防車は高層ビル化・諸施設の多様化等に伴い、消火放水方法も多岐にわたっている。
【発明の概要】
【発明が解決しようとする課題】
【０００３】  従来の消火放水方法に対しより適切且つ最適な多種消火方法が要求される。
【課題を解決するための手段】
【０００４】  本発明は、従来の消防車による加圧放水に加えてエヤーコンプレッサーを使用して高圧搾エヤーを併用して断続・連続放水共に強力放水を可能にした。【０００５】  高圧搾エヤーは通常加圧放水の数倍圧の圧搾エヤーで断続的に放射ノズル部に供給し放水を機関銃の弾丸風の「水弾」発射の強力で破壊力を持つ放水を可能にした。【０００６】  また、通常の加圧放水と共に高圧搾エヤーを併用して強力化し連続放射して高所放水を可能にした。
【発明の効果】
【０００７】  上述したように、従来の消火放水に加えて高圧搾エヤーを併用した為水弾断続・連続放水共に強力化出来、多種多様火災に対して効率的消火の一端を担う事が出来た。【０００８】  なお、消火放水にエヤーを併用する為、火災燃焼を助長する可能性がある為、火災燃焼を阻害する為にエヤーコンプレッサーに炭酸ガス等の不燃性ガスを混合したのでより効果的消火が可能となった。
【図面の簡単な説明】
【０００９】
【図１】  本発明の放射ノズル部の（説明用）縦断面図。
【発明を実施するための形態】
【００１０】  本発明の実施の形態を図に基づいて説明する。
【００１１】  図１は本発明の主要部である放射ノズル１を主体とし、消防車本体・諸部備品・それと高圧搾エヤー用の高圧エヤーコンプレッサー等の図面は省略。
【００１２】  放射ノズル１において送水ホース６は消防車本体よりの通常加圧放水用の送水ホースと連結されている。
【００１３】  高圧搾エヤー噴射部４は高圧搾エヤー用の高圧エヤーコンプレッサーよりの高圧搾エヤー供給パイプ２・断続連続切替機構３を経て放射ノズル１の中芯より高圧搾エヤーを噴射する。
【００１４】  高圧搾エヤーを噴射の際、瞬間的に生ずる水の逆流を防止する為の、逆流防止エヤー噴出穴５を設けてある。
【００１５】  噴射された高圧搾エヤーは放射ノズル１先端部内の加圧水を数倍の圧力で放射する。
【００１６】  また、放射ノズル１先端部の内部にフィンスクリュー７を設けた為、水弾８・連続放水共に捩じり回転力が加わり、より強力放水となり消火効果を高めるものである。
【符号の説明】
【００１７】    １    放射ノズル。
３    断続連続切替え機構。
７    フィンスクリュー。
【図１】
2017047232.tif 000003
(57)【要約】【課題】  従来の一般的な下駄は木製の台で足裏に接する面は硬い平面の為足の中足趾節関節部の屈曲と同調せず歩行性が悪かった、また歩行時足の踵が台から離れ台の踵部より泥等を跳ね上げて衣服の裾を汚す事がある。【解決手段】  下駄の台を足の中足趾節関節部で前後に分割し丈夫なヒンジで前後を連結して歩行時足と台の屈曲を同調させた、また台の踵部と足の踵・足首を連結し足の踵と台を一体化させた。【選択図】図１
2017047220.tif 000002
【特許請求の範囲】
【請求項１】
下駄の本体（台）で足の中足趾節関節部を前後に一か所又は複数か所を分割し、その前部と後部をヒンジで連結して屈曲する様にして歩行時下駄本体（台）と足の中足趾節関節部が一体で折れ曲がり屈曲性をよくし歩行性を向上させたヒンジ構造を設けた下駄。
【請求項２】
下駄本体（台）の踵部と足の踵が歩行時に離れない様に下駄本体（台）の踵部に足の踵当て・ベルト・紐等で足首・踵を結合し下駄と足の屈曲を一体化可能にしたことを特徴とする請求項１記載のヒンジ構造を設けた下駄。
【請求項３】
下駄本体（台）上面に靴・サンダル等と同様の足に履く上体を取り付け、例えばスニーカーを張り付けたもの等、一見靴かサンダルか等に見え下駄本来の鼻緒のない特別な下駄で「靴下駄・サンダル下駄」等としての特徴を有する請求項１・２記載のヒンジ構造を設けた下駄。
【発明の詳細な説明】
【技術分野】
【０００１】  本発明は、従来より利用されている一般的な下駄に関する。
【背景技術】
【０００２】  従来の、一般的な下駄は木製の下駄本体（台）（以下、台と記す）に鼻緒を箝た履物で足裏に接する部分は硬い平面のものであった。【０００３】  また、足を前に運ぶ際台の後部より足の踵が先に離れ台と足の屈曲が同調しない履物であった。
【発明の概要】
【発明が解決しようとする課題】
【０００４】  以上に述べた従来の下駄は歩く際足裏の屈曲と台の硬い平面では同調出来ず足が疲れやすく長距離歩行には適さない履物であった。【０００５】  また、足の踵と台後部の動きが同調しないため悪路等の場合は泥等を跳ね上げて衣服の裾を汚したりする事も多いと言う問題があった。【０００６】  本発明は、上記問題を解決しようとするものであり、下駄の台と足の屈曲を同調させ下駄履きでの歩行性を向上させることを目的とするものである。
【課題を解決するための手段】
【０００７】  本発明は、上記目的を達成するために下駄の台の中足趾節関節部が当たる部位を前後に分割しその前部と後部をヒンジで連結して歩行時下駄の台と足の中足趾節関節部が同調して折れ曲がり屈曲性を良くし歩行性向上を計った。【０００８】  また、足の踵と台の後部が歩行時に離れない様に踵当てや連結ベルトを設け台後部からの泥等の跳ね上がりを防止した。
【発明の効果】
【０００９】  上述したように、下駄の台にヒンジ部を設けた為に足の中足趾節関節部の屈曲と同調して台のヒンジ部で屈曲し歩行性が向上した。【００１０】  また、足の踵の動きと台後部の動きが同調出来る様に踵当てや足首と台踵部をベルト等で連結した為悪路歩行時の泥等の跳ね上げがなくなった。【００１１】  また、ヒンジ構造を設けた台にスニーカーやサンダルを合体したり台・歯の形状をアレンジすると鼻緒のない特別な下駄の特徴を有する履物となった。
【図面の簡単な説明】
【００１２】
【図１】  本発明の実施形態を示す側面図。
【図２】  （イ）は台にヒンジを設けた上面図。（ロ）は（イ）のＡ−Ａ断面図。
【図３】  （イ）は台にヒンジを二か所設け上にスニーカーを合体した例の側面図。（ロ）は台と歯をアレンジしハイヒール風にした例の側面図。
【発明を実施するための形態】
【００１３】  本発明の実施の形態について図面を参照して説明する。（但し、図中の台１の上に張る上張りの図は省略）
【００１４】  図１において、１は下駄本体の台で足の中足趾節関節部で前部２と後部３に分割しヒンジ５で連結され足の屈曲と同調可能にしてある。
【００１５】  図２はヒンジ５の取り付け部の詳細を示したものである。
【００１６】  足９の足首と踵部は台後部に取り付けられた踵当て７と結合ベルト６により足と台が離れない様連結されている。
【００１７】  図３（イ）において台と靴を合体した例で二か所にヒンジ５・５′を設け屈曲性をよりスムーズにした「靴下駄」としたものである。
【００１８】  図３（ロ）は台１と歯４・４′を台１１・歯１２・１３のようにアレンジした例でハイヒール風の特別な下駄の例である。
【００１９】  台１・歯４・４′を色々アレンジすると共に従来の木製下駄の材質をプラスチック・コルク・硬質ゴム等を用いて一風変わり下駄を作り出せた。
【符号の説明】
【００２０】１・・・・・下駄本体（台）。
４・４′・・歯。
５・５′・・ヒンジ。
６・・・・・結合ベルト。
７・・・・・踵当て。
８・・・・・鼻緒。
【図１】
2017047220.tif 000003
【図２】
2017047220.tif 000004
【図３】
2017047220.tif 000005
(57)【要約】      （修正有）【課題】一冊の本を一度の中断も無く読み切る事は皆無に近い。いくらかの時間や日が空いた時頁を示す今までの栞だと見開きになる。磁石付きの人差指で行を示すことにより迷わずスムーズに続ける事ができる栞を提供する。【解決手段】人差指の絵１と、同形の（＋）磁石２と、同形の（−）の磁石３を繋ぐ３６０度回転する芯４で磁石付きの人差指で行を示す栞を構成した。【選択図】図１
2017047670.tif 000002
【特許請求の範囲】
【請求項１】
文章に目を通していて中断せざるを得なくなった時（１）の人差指の絵（２）、（１）の型取った（＋）の磁石、（３）（１）の型取った（−）の磁石を繋げる３６０度回転する芯なので混雑していても、急いでいても頁の上に挟み易く、磁石なので移動はしにくい。
続きを再開しようとした時「次はＣＯＣＯ〜（ここから）ですよ」と（１）の絵を少し立体的、女性の人差指で示してくれるとスムーズに導入される。その指のネイルがモンローのように真紅だったりディザインも工夫出来るようにすると楽しみも加わる。
大きさも何種類か作る。
○読者の年齢や好みによって選べる絵柄が有れば良い
【発明の詳細な説明】
【技術分野】
【０００１】  この発明は磁石に人差指の絵を張付けて栞になるものである。人差指の他に行を示す形を工夫をする
【背景技術】
【０００２】  従来は栞を見開きの頁に挟んでいた。
【発明の概要】
【発明が解決しようとする課題】
【０００４】  これは次のような欠点があった。
従来読書や学習等をしている時、直ぐにその場を離れなければならない事があって栞を挟んでおくと、続きの行動をしようとした時２ページが開く。直ぐに行を捜す事ができない時、いやな思いをする。本発明はＣＯＣＯ〜ですよと指の形等で示してある事により以上のような欠点をなくす事ができる。
【課題を解決するための手段】
【０００５】  人差指等少し立体的にした絵（１）を磁石（＋）（２）に張り付け、磁石（−）（３）は（１）（２）と同じ大きさ、形にする。３６０度回転するように（４）で（１）（２）（３）を繋げ芯にする。本発明は以上の構成による栞である。
【発明の効果】
【０００６】  乗り物の中や待ち会い室、家の中であっても書物等を見ていて中断をせざるを得ない時がある。急な時でも速やかにページの隅を三角に折るが如く今見ていた行をさし示す事ができる。
【図面の簡単な説明】
【０００７】
【図１】  （１）第２関節から先、少し立体的な人差指の絵、色々な絵  （２）（１）の形と同じ形と同じ大きさの（＋）磁石  （３）（２）と同じ（−）磁石  （４）（１）（２）（３）を一体になる様に繋げる物
【図２】  従書き、横書きの書物に、行を示した本発明の扱いを示したもの
【発明を実施するための形態】
【０００８】  文章の行を示す人差指絵（１）を（１）の形を型取った磁石（２）（＋）接着剤で張り付ける。（３）も同じく（１）の形に型取り（−）の磁石として（１）（２）（３）を繋げる（４）の芯を通し３６０度廻る様にして、頁の上に、はめやすくする。
【符号の説明】
【０００９】  （１）人の人差指の第二関節から先の絵  （２）、（１）の型の（＋）磁石
（３）（１）の型の（−）の磁石        （４）（１）（２）（３）３繋げる芯
【図１】
2017047670.tif 000003
【図２】
2017047670.tif 000004
(57)【要約】【課題】  従来の一般的なジェット飛行機は離着陸の際、長距離滑走路が必要である、また燃料消費効率も悪く超低速飛行が不安定で困難であった。【解決手段】ジェットエンジンの燃焼ガス噴射口の後方部に、エンジン稼働時に揚力を発生させる為の揚力板機構を設け、特に離着陸の際に主翼の諸機能の補助翼的な役割をするようにしたことにより、離着陸滑走距離の短縮・超低速飛行の安定化・燃料消費効率の向上等の一助となった。【選択図】図１
2017047898.tif 000002
【特許請求の範囲】
【請求項１】
ジェットエンジンの燃焼ガス噴射口後方部の下部に上・下・角度調整可能で主翼諸機能の補助翼的な機能を有する揚力板機構を設けたことを特徴とするジェット飛行機。
【発明の詳細な説明】
【技術分野】
【０００１】  本発明は、一般的なジェット飛行機に関する。
【背景技術】
【０００２】  従来の、一般的な旅客機・貨物機等のジェット飛行機は、離着陸の際長い滑走路が必要で滑走路の短い飛行場は利用出来ない。【０００３】  また、ジェット機はプロペラ機に比べて飛行速度は速いが燃料消費効率が悪く超低速飛行が不安定で困難である。
【発明の概要】
【発明が解決しようとする課題】
【０００４】  以上に述べた従来のジェット飛行機は、年々緒性能の改良がなされているが大型化等も伴い、長い滑走路が必要である。【０００５】  また、燃料消費効率・着陸時の超低速飛行が不安定で困難である等、大きな問題があった。【０００６】  本発明は、上記問題点をシンプルな機構・省費用で解決することを目的とするものである。
【課題を解決するための手段】
【０００７】  本発明は、一般的なジェット飛行機で特に主翼の下部に複数のエンジンを配置した構造の機種に最も適用可能である。【０００８】  左右両主翼下部に配置された複数のジェットエンジン各々の燃焼ガス噴射口後方部でガス噴射範囲内の下部に揚力板機構を設けた。【０００９】  揚力板はジェットエンジン稼働時は常に機体全体を持ち上げる働きをする揚力を発生させるものである。【００１０】  また、揚力板は上下及び角度調整可能で離着陸時及び順行飛行時とも有効揚力発生をコントロールすると共に飛行時にジェットエンジン故障等で停止滑空時も揚力を発生し、主翼機能の補助翼的役割を担うものである。【００１１】  また、ジェットエンジンの燃焼ガス噴射出口の形状を近楕円形状にしガス噴射範囲の横幅を広げ揚力板の揚力発生効率を高めた。
【発明の効果】
【００１２】  本発明の揚力板機構は、機体を引き上げて軽くする働きをするのでエンジン稼働時に揚力を発生し離陸時の滑走距離の短縮が可能となった。【００１３】  また、着陸時の安定した超低速飛行が可能でエンジンの噴射ガスに対してブレーキ的作用も可能で着陸滑走距離の短縮が出来た。【００１４】  また、離着陸・順行飛行時・エンジントラブル時共に両主翼の諸機能の補助翼的役割の一端を担うと共に省燃料・搭載量・主翼面積他の面で有利となった。【００１５】  プロペラ機についても揚力機構を有効に利用可能であるが、機種・構造により異なる為こゝでは詳細説明は省略。
【図面の簡単な説明】
【００１６】
【図１】（イ）は、飛行機々体胴部１・主翼２・ジェットエンジン３と揚力板機構６の基本的位置関係を示す説明用の上面図。（ロ）は、主翼２と揚力板７のＡーＡ線断面図とジェットエンジン３の位置関係の説明用の側面図。
【発明を実施するための形態】
【００１７】  本発明の実施の形態について図面を参照して説明する。
【００１８】  図１・（イ）において１は飛行機々体の胴部で主翼２が取り付けられた機体の一部でその主翼２の下部にジェットエンジン３が取り付けられた従来の一般的な機構に本発明の揚力板機構６を取り付けた状態の略図で噴射ガス５が揚力板７の上面を高速で流れて揚力を生じさせるものである。
【００１９】  揚力板取り付け部８は主翼下方部に取り付けられると共に揚力板７を上下に可動させる上下調整部９と角度調整部１０とで揚力調整・特に離着陸時の飛行安定性・ブレーキ効果等を生み出す事が出来る。
【００２０】  揚力板機構６は搭載されている各ジェットエンジン３と対で付加している、片翼に２基のエンジンがある場合には揚力板を拡大して一つの揚力板機構とすることで一層の効果が生じる。
【００２１】  揚力板７はジェットエンジンの出力等により異なるが燃焼ガス噴射口４を近楕円形状に横幅を広げ揚力板７の面積も広げて揚力発生効力を高めた。
【００２２】  図１・（ロ）は主翼２とジェットエンジン３の燃焼ガス噴射範囲５と揚力板７の基本位置関係を示す側面図で、ジェットエンジンの推力を損なわずに揚力を発生させるものである。
【符号の説明】
【００２３】１・・・飛行機々体胴部（Ｂ方向は前・Ｃ方向は後）。
２・・・主翼。
３・・・ジェットエンジン。
４・・・燃焼ガス噴射口。
６・・・揚力板機構。
７・・・揚力板。
８・・・揚力板取付部。
９・・・上下調整部。
１０・・角度調整部。
【図１】
2017047898.tif 000003
【手続補正書】
【提出日】平成28年10月11日(2016.10.11)
【手続補正１】
【補正対象書類名】明細書
【補正対象項目名】０００４
【補正方法】変更
【補正の内容】
【０００４】  以上に述べた従来のジェット飛行機は、年々諸性能の改良がなされているが大型化等も伴い、長い滑走路が必要である。
(57)【要約】【課題】  自動車用構造部材として使用出来る大物の熱硬化樹脂製品の実現【解決手段】カーボン繊維等を配合し剛性を確保した上で、多点トランスファー成形法による大型部品の成形【選択図】図１
2017185767.tif 000002
【特許請求の範囲】
【請求項１】
熱硬化性樹脂による多点トランスファー成形法
【請求項２】
タブレット化した材料を用いた多点トランスファー成形法
【請求項３】
抄造工法にてＧＦアラミド等及びカーボン繊維（バージンｏｒリサイクル）を補強に用いた材料工法及び多点トランスファー成形法。
【発明の詳細な説明】
【技術分野】
【０００１】自動車用製造部材、アルミダイキャスト品の樹脂化
【背景技術】
【０００２】自動車の燃費向上に伴う、使用部材の軽量化に対し、アルミ部材の樹脂化要求が高まりつつあり、アルミに近い剛性の樹脂部材が求められている。
【発明の概要】
【発明が解決しようとする課題】
【０００３】アルミに変わる剛性の高いカーボン繊維＋樹脂の部材が広く知られており、カーボン繊維とエポキシ樹脂をプリプレグとして、オートクレープを用いて硬化成形した物、或はカーボン繊維をマット状にした物にエポキシ樹脂を注型するＲＴＭ（レジントランスファーモールド）等が有る。しかし、これらの工法では、３次元的な成形品の対応が難しいまた、カーボン繊維とエポキシ樹脂を混合・分散して、粉状化した物を射出成形にて、３次元形状を成形する事も多く見受けられるが、ただこの場合においては、熱硬貨性樹脂では成形等、シリンダー内における硬化反応時間の制約から、大物成形品への対応が難しく課題の１つであった。
【課題を解決するための手段】
【０００４】本発明は３次元形状の大物成形品で且つ、熱安定性に優れた熱硬化性樹脂を用いた物を提供するものである。従来から一般に多く用いられる工法として、射出成形方法があるが、シリンダー内での硬化時間の制約から大容量の成形物を得る事は難しかった。この硬化時間と言う制約を回避する手段として複数個の材料投入ポットを金型に設ける事により、この課題を解決するものである。これにより、３次元形状で熱硬化性樹脂の大きな成形品を提供出来る。
【発明の効果】
【０００５】熱硬化性成形品における大型３次元形状品を材料投入ポットの多数化により、可能とした。この事は大物アルミダイキャストの樹脂化が可能となり、自動車軽量化に寄与する事が非常に大きい。
【図面の簡単な説明】
【０００６】
【図１】本発明の実地形態を示す成形金型構造
【実施例】
【０００７】カーボン繊維チョップ（繊維径１３μｍ、繊維長６ｍｍ）と熱硬化性エポキシ樹脂（粉末１０μｍ）、重量比４：６を水に分散・混合し、濃度３％に成る様に調整、この混合物を含水分が３％に成る様に脱水・乾燥、多数個ポットを配した成形金型（型温度１７０℃）のポット部に前述の混合材料を投入３００ｋｇ／ｃｍ２加圧する事により、ポット内の材料を製品部に注入成形５分の加圧硬化時間を加えた後、脱型し製品を取り出す。
【符号の説明】
【０００８】２．ポット、３．材料移送路
【図１】
2017185767.tif 000003
(57)【要約】      （修正有）【課題】便蓋と便座の不衛生な下側の隙間に手指を差し入れる事なく上下開閉操作が行え、不衛生な不快感や嫌悪感を覚えることなく快適にトイレの使用ができる便蓋と便座の上下開閉ハンドルノブを提供する。【解決手段】便器本体１１の排泄洗浄鉢とその上部に設置された便座を覆い被すための便蓋の外周縁辺外側側面の所定位置に枝状に便蓋用ハンドルノブ１を取付け、手指により便蓋の開閉操作ができるようにする。より好ましくは、便座の外周縁辺外側側面の所定位置に枝状に便座用ハンドルノブ２を取付け、手指により上げ下げの操作ができるようにする。【選択図】図１
2017185182.tif 000002
【特許請求の範囲】
【請求項１】
便器本体の排泄洗浄鉢とその上部に設置された便座を覆い被すための便蓋の外周縁辺外側側面の所定位置に枝状に便蓋用ハンドルノブを取付け、手指により便蓋の開閉操作ができるようにした事を特徴とする便蓋と便座の上下開閉ハンドルノブ。
【請求項２】
前記便器本体の排泄洗浄鉢の上部に設置された前記便座の外周縁辺外側側面の所定位置に枝状に便座用ハンドルノブを取付け、手指により上げ下げの操作がてきるようにした事を特徴とする請求項１に係る便蓋と便座の上下開閉ハンドルノブ。
【請求項３】
前記便蓋と便座のハンドルノブの中間部を手前方向へゆるいカーブの円形状に折り曲げ、さらに前記ハンドルノブの取付け根元部から先端方向へ湾曲に反り上げ全体に丸味をもった形状にする事で便座使用時に衣服等のひっ掛りを防ぐ様にした事を特徴とする請求項２または１に係る便蓋と便座の上下開閉ハンドルノブ。
【発明の詳細な説明】
【発明の概要】
【発明が解決しようとする課題】
【０００１】トイレは人間の健康生活に最も大切な重要な場所であり、清潔・衛生・機能・設備等一つとして欠かせない安心と快適性が要求される。
現在のトイレは著しい改善が成されているが便器本体の排泄洗浄鉢の周辺近くは汚水等の飛沫等が付着し衛生的に安心とはいえない、便蓋や便座の下面下側等周辺は細菌等が繁殖し不衛生さを完全に回避する事は難しい。【０００２】トイレの使用時には、かならず便蓋と便座の上下開閉操作が必要であり、かならず便蓋と便座の下面下側の隙間に手指を差し入れて上下開閉操作を行なわなければならず衛生上良いとはいえない、そのために前記操作時の不快感や嫌悪感を覚えるのはトイレ使用者万人の共通な悩みであり精神上の観点からも改善する必要がある。
【課題を解決する為の手段】
【０００３】便器本体の排泄洗浄鉢とその上部に設置された便座を覆い被すための便蓋の外周縁辺外側側面の所定位置に枝状の便蓋用ハンドルノブを取付け、手指により便蓋の開閉操作ができるようにした事を特徴とし、本ハンドルノブを使う事で便蓋の下面下側に手指を差し入れる事なく開閉操作がてきる。
【０００４】前記便器本体の排泄洗浄鉢の上部に設置された前記便座の外周縁辺外側側面の所定位置に枝状の便蓋用ハンドルノブを取付け、手指により上げ下げの操作ができるようにした事を特徴とし、本ハンドルノブを使う事で便座と便器本体との隙間に手指を差し入れる事なく便座の上下操作ができる。
【０００５】前記便蓋と便座のハンドルノブの中間部を手前方向へゆるいカーブの円形状に折り曲げ、さらに前記ハンドルノブの取付け根元部から先端方向へ湾曲に反り上げ全体に丸味をもった形状にする事で便座使用時に衣服等のひっ掛りを防ぐ様にした事を特徴とし、前述の不衛生な便蓋と便座の上下開閉操作を改善することができて安心と快適なトイレの使用ができるようになる。
【発明の効果】
【０００６】上述のように本発明の便蓋と便座の上下開閉ハンドルノブを設置する事で、便蓋と便座の不衛生な下側の隙間に手指を差し入れる事なく上下開閉操作が行えるので不衛生な不快感や嫌悪感を覚えることなく快適にトイレの使用ができる。
【図面の簡単な説明】
【０００７】
【図１】本発明の実施の形態を示す全体構成図、１（Ａ）便蓋ハンドルノブ・２（Ｂ）便座ハンドルノブの斜視図。１（Ａ）の点線部は２（Ｂ）と同じ折り曲げ部のある場合の形状。
【図２】１は便蓋に２は便座に取付けられたハンドルノブの設置形態を示す図１の（Ａ）（Ｂ）におけるＣ−Ｃ線の断面図、点線部は便蓋と便座の取付部断面。
【発明を実施する為の形態】
【０００８】図１は、便蓋と便座の上下開閉ハンドルノブ１，２が便蓋と便座の外周縁辺外側の所定位置５，６に枝状に取付けられた実施形態を示す全体構成の外観図である。
【０００９】便蓋の外周縁辺側面５を便蓋用ハンドルノブ１の取付け部３が挟み込む様に取付け固定する、同様に便座用ハンドルノブ２を便座の外周縁辺外側側面６に取付け固定しそれぞれのハンドルノブを使って便蓋及び便座の上下開閉操作をする事で、汚染された不衛生な便蓋と便座の下側の隙間に手指を差し入れ触れる事なく安心してトイレの使用ができる。
【００１０】便蓋と便座の上下開閉ハンドルノブの全体を湾曲と丸味をもった形状図１の１（Ａ）７，２（Ｂ）８にする事でトイレの使用時に衣服等のひっ掛りを防ぐ事ができる、又ハンドルノブの形状を棒状１（Ａ）にする事も考えられる。
【符号の説明】
【００１１】１  便蓋のハンドルノブ、２  便座のハンドルノブ、３  便蓋用ハンドルノブの取付部、４  便座用ハンドルノブの取付部、５  便蓋の取付部、６  便座の取付部、７，８  円形状の曲折部  ９，１０  反り上り部、１１  便器本体、図１の１（Ａ）は便蓋の２（Ｂ）は便座の斜視図。
【図１】
2017185182.tif 000003
【図２】
2017185182.tif 000004